(57)【要約】【課題】椅子に座った際の姿勢安定性に優れ、椅子から立ち上がるのが容易な椅子の提供を目的とする。【解決手段】座部と背もたれとを備えた椅子であって、前記座部の座面の後部側上端部と前記背もたれの下端部との隙間の間隔が５〜８５ｍｍの範囲に設定してあることを特徴とする。【選択図】  図８
2019154655.tif 000002
【特許請求の範囲】
【請求項１】
座部と背もたれとを備えた椅子であって、
前記座部の座面の後部側上端部と前記背もたれの下端部との隙間の間隔が５〜８５ｍｍの範囲に設定してあることを特徴とする椅子。
【請求項２】
前記座部の座面から前記背もたれの上端部までの高さが２２０〜３５０ｍｍの範囲に設定してあることを特徴とする請求項１記載の椅子。
【請求項３】
前記座部は座面の後部側が上方に向けて湾曲部を形成してあり、前記湾曲部の高さが１０〜７０ｍｍの範囲に設定してあることを特徴とする請求項１又は２記載の椅子。
【発明の詳細な説明】
【技術分野】
【０００１】
本発明は、高齢者，障害者，病人等が使用するのに適した椅子に関し、特に浴室でシャワーをするのに好適な椅子に係る。
【背景技術】
【０００２】
高齢者等が浴室にてシャワーをするのに使用される椅子が、これまでもいろいろ提案されている。
例えば、特許文献１には、洗浄し易いように椅子の背もたれのクッション部材を容易に着脱可能にしたものを開示する。
特許文献２には、シャワーで洗い易いように座に前方開放部と後方開放部とを形成したシャワー椅子を開示する。
しかし、これらはシャワーをする際に使用するものであっても、使用者の姿勢安定性や立ち上がり易さ等を考慮したものではない。
【先行技術文献】
【特許文献】
【０００３】
【特許文献１】特開２００３−４７５３５号公報
【特許文献２】特開平９−５６５２３号公報
【発明の概要】
【発明が解決しようとする課題】
【０００４】
本発明は、椅子に座った際の姿勢安定性に優れ、椅子から立ち上がるのが容易な椅子の提供を目的とする。
【課題を解決するための手段】
【０００５】
本発明に係る椅子は、座部と背もたれとを備えた椅子であって、前記座部の座面の後部側上端部と前記背もたれの下端部との隙間の間隔が５〜８５ｍｍの範囲に設定してあることを特徴とする。
ここで、座部の座面から前記背もたれの上端部までの高さが２２０〜３５０ｍｍの範囲に設定してあるのが好ましい。
【０００６】
本発明において、座面の後部側上端部とは、人が座る座部の背もたれ側を後部側と表現し、その後部側の座面の上端部をいう。
この上端部と背もたれの下端部に設けた隙間の間隔を５〜８５ｍｍの範囲に設定したのは、次の理由による。
本発明に係る椅子に座った状態を図８に模式的に示し、図９は従来の椅子を示す。
従来の椅子は、座部の座面と背もたれの下端部との間の隙間の寸法Ｄ０は、１５０ｍｍ前後であり、市販されているシャワー椅子を調査したところ、１２５〜２００ｍｍであった。
これでは、使用者が椅子に座った状態で骨盤を背もたれにて支えることができず、姿勢が不安定になる恐れが高い。
これに対して本発明に係る椅子は、図８に示すように座部の座面の後部側上端部と背もたれの下端部との間の隙間の距離（寸法）Ｄを５〜８５ｍｍの範囲にしたことにより、人が座った際に背もたれが骨盤を支えるので、座った状態を安定させるとともに、骨盤を立たせるように背もたれが支持しているので、立ち上がる際にその反力にて骨盤を押し上げることになり、立ち上がりやすくなる。
この場合に、Ｄの寸法を５〜８５ｍｍの範囲に設定したのは、シャワー椅子として使用した場合に、シャワーを用いて洗浄し易いことを考慮したものであり、好ましくはＤ：２５〜７５ｍｍの範囲である。
【０００７】
本発明において、背もたれの高さを図８に示した座面から背もたれの上端部までの高さＨにて、Ｈ：２２０〜３５０ｍｍの範囲にするのが椅子に座った姿勢を安定し易い。
好ましくは、Ｈ：２４０〜３３０ｍｍの範囲である。
また、座った状態の背を支えるのに背部の湾曲に沿って、上下方向の中央部がやや凸部となる湾曲形状で、左右幅方向は中央部が凹んだ凹面形状であってもよい。
【０００８】
本発明において、座部は座面の後部側が上方に向けて湾曲部を形成してあり、前記湾曲部の高さが１０〜７０ｍｍの範囲に設定してあるのが好ましい。
これは、図８に示すように座面の後方側をせり上がるように湾曲面に形成することで、お尻の部分を包み込むように支えるので、座った状態の姿勢が安定する。
この湾曲部の高さＴは１０〜７０ｍｍの範囲がよく、好ましくはＴ：１５〜５０ｍｍの範囲である。
【発明の効果】
【０００９】
本発明に係る椅子は、背もたれにて骨盤を立ち上げるように支えるので、シャワーをする際に姿勢が安定し、立ち上がる際には背もたれが骨盤を押し出すように作用するので、立ち上がるのが容易になる。
【図面の簡単な説明】
【００１０】
【図１】本発明に係る椅子の構造例を示す。
【図２】（ａ）は本発明に係る椅子の正面図、（ｂ）はその側面図を示す。
【図３】本発明に係る椅子の平面図を示す。
【図４】（ａ）は図３のＡ−Ａ線断面図、（ｂ）はＢ−Ｂ線断面図を示す。
【図５】（ａ）は座部と背もたれの位置関係を示し、（ｂ）はＣ−Ｃ線断面図を示す。
【図６】本発明に係る背もたれの正面図を示す。
【図７】本発明に係る座部の平面図を示す。
【図８】本発明に係る椅子に使用者が座った状態を示す。
【図９】従来の椅子の構造例を示す。
【図１０】感圧センサーを用いて測定した使用者が椅子に座った状態の押圧分布を示し、（ａ）は本発明に係る椅子、（ｂ）は従来の椅子である。
【発明を実施するための形態】
【００１１】
本発明に係る椅子の構造を以下図に基づいて説明するが、本発明は座部と背もたれの位置関係に特徴があり、他の構成要素は適宜、設計変更できる。
【００１２】
本発明に係る椅子の外観斜視図を図１、正面図を図２（ａ）、側面図を図２（ｂ）に示し、平面図を図３（ａ）に示す。
図３（ｂ）は、折りたたんだ状態を示す。
本実施例は、第１のパイプ材１を用いて、正面視略コ字形状に折り曲げて背もたれ部１ａを形成し、その先に側面視で略Ｌ字状、水平方向に折り曲げることで、座部２０の取付部１ｂを形成し、さらにその先を下方に折り曲げて前脚部１ｃを一体的に形成してある。
前脚部１ｃの先端には、滑り止めのキャップ１ｄを取り付けてある。
これに対して、第２のパイプ材２を側面視で略Ｌ字状に折り曲げ、その上部側を連結金具３にて前記第１のパイプ材１の座部の取付部１ｂに回動可能に連結してある。
これにより、後脚部２ａが形成され、その先にキャップ２ｂを取り付けてある。
第１のパイプ材１の背もたれ部１ａの両側の側部には、取付金具４を用いて軸着部４ａを介して回動可能に肘掛け部５を取り付けてある。
これにより、図３（ｂ）に示すように、折りたたみ可能になっている。
【００１３】
図４に示すように、第１のパイプ材１の背もたれ部１ａの上部に、硬質樹脂材からなる背もたれベース部材１１をボルト等にて取り付けてある。
これに対して、軟質樹脂からなる背もたれ１０の裏面側に設けたボス部１０ｄを背もたれベース部材の取付孔１１ａに押し込むことで、この背もたれ１０が固定されている。
【００１４】
座部２０の構造は、次のようになっている。
第１のパイプ材１の座部の裏面部に対応して、このパイプ材の両側をつないだシャフト状の回動軸１ｆと、支持部１ｅを形成してある。
硬質樹脂からなる座ベース部材２１の前後方向の中央部より後部側を回動軸１ｆに枢着部２１ｂを介して回動可能に連結し、座ベース部材２１の前後方向中央部より前部側を保持部２１ａを介して支持部１ｅに着脱自在になっている。
この座ベース部材２１には、図４（ａ）に示すように取付孔２１ｃを有し、軟質樹脂からなる座部２０の裏面に設けたボス部２０ｄを押し込むことで取り付けてある。
座部２０と座ベース部材２１には、貫通孔２０ｃ，２１ｄを設けてある。
【００１５】
次に、背もたれ１０と座部２０との位置関係及びその形状例について説明する。
図５（ａ）は、背もたれ１０と座部２０のみを取り出した正面図を示し、図５（ｂ）はＣ−Ｃ線断面図を示す。
座部２０は、座面２０ａとこの座面の裏面側にボス部２０ｄを有し、シャワーをしやすいように貫通孔２０ｃを有する。
座面の後部側に上方に向けた湾曲部２０ｂを形成してある。
これに対して背もたれ１０は、背もたれ面１０ａと背もたれベース部材に取り付けるためのボス部１０ｄを有する。
背もたれ面１０ａは、図３，図４（ｂ）に示すように左右方向に湾曲した凹形状になっているとともに、上下方向には背骨の曲がりに沿うように、この上下方向の中央部が突出した凸形状になっている。
【００１６】
座面と背もたれとの位置関係を図５（ｂ）にて説明すると、座面２０ａの後部側上端部２０ｅと背もたれ１０の下端部との間の隙間の距離寸法Ｄを５〜８５ｍｍに設定し、好ましくは２５〜７５ｍｍの範囲に設定する。
本実施例は、Ｄ：５２〜５４ｍｍに設定してある。
座面２０ａの湾曲部２０ｂのせり上がり高さ（湾曲部の高さ）Ｔ：１０〜７０ｍｍの範囲、好ましくはＴ：１５〜５０ｍｍの範囲に設定する。
本実施例は、Ｔ：２４〜２８ｍｍに設定してある。
背もたれ１０の座面２０ａからの高さＨ寸法は、Ｈ：２２０〜３５０ｍｍの範囲に設定し、好ましくはＨ：２４０〜３３０ｍｍの範囲である。
本実施例は、Ｈ：２８８〜３１１ｍｍに設定してある。
【００１７】
本発明においては、図６に示すように背もたれ１０の下端側を従来より下側に伸ばし、上下寸法ｃを従来より大きくしたものであり、ｃ：１８０〜３００ｍｍの範囲がよい。
背もたれ１０の下側を伸ばす際に、両側部の外形をそのまま延ばしてもよいが、本実施例では背もたれの下部側は骨盤を支えるものであることから、左右方向の最大寸法ａに対してそれより小さいｂ寸法とした。
寸法ａ：３００〜３８０ｍｍの範囲が好ましく、本実施例はａ：３２０〜３７０ｍｍとした。
寸法ｂ：１５０〜２４０ｍｍの範囲が好ましく、本実施例はｂ：１９０〜２２０ｍｍとした。
【００１８】
座面２０ａの平面図を図７に示す。
従来の楕円形状の座面に対して、後部側の湾曲部２０ｂを後方及び上方にせり出した形状にした。
このせり出し部の寸法ｆは、本実施１３０〜１９０ｍｍの範囲とした。
なお、座面の幅寸法ｄ及び奥行き寸法ｅは、椅子の大きさにもより、本実施例はｄ：４００〜４４０ｍｍ、ｅ：３００〜３３０ｍｍとした。
【００１９】
椅子の背もたれ面及び座面に感圧センサーを敷いて、その押圧分布を本発明品図１０（ａ）と、従来品図１０（ｂ）に示すように比較した。
本発明品は図８にて、Ｄ：５０ｍｍ，Ｈ：２９０ｍｍ，Ｔ：２６ｍｍに対して、従来品は図９においてＤ０：１５０ｍｍ，Ｈ０：２５０ｍｍである。
図１０にて圧力分布を比較すると、背もたれの下部側に矢印で示したように、従来品図１０（ｂ）にない押圧部が現れ、座面の後部側にも矢印で示すように、従来品図１０（ｂ）よりも後方側に突出した押圧部が現れているのが明らかになった。
このことから、本発明に係る椅子は、背もたれにて骨盤の部位，座部にて、お尻の後部位を支えているので座った状態ではその姿勢が安定し、背もたれにて骨盤を押し上げるので、立ち上がりやすいといえる。
【符号の説明】
【００２０】
１ｃ      前脚部
２ａ      後脚部
１０      背もたれ
２０      座部
【図１】
2019154655.tif 000003
【図２】
2019154655.tif 000004
【図３】
2019154655.tif 000005
【図４】
2019154655.tif 000006
【図５】
2019154655.tif 000007
【図６】
2019154655.tif 000008
【図７】
2019154655.tif 000009
【図８】
2019154655.tif 000010
【図９】
2019154655.tif 000011
【図１０】
2019154655.tif 000012